(57)【要約】【課題】  据え置き型の写真撮影装置において狭小な空間でも広範囲の画角の撮影画像を得ることが可能な写真撮影装置を提供する。【解決手段】  据え置き型の写真撮影装置１において、正面パネル１０１の上方及び下方に、２つの撮影部（カメラ）３０Ａ，３０Ｂを設ける。また、写真撮影装置１は、これらの撮影部（カメラ）３０Ａ，３０Ｂにより撮影された画像Ｇ１，Ｇ２を連結して写真Ｇ５を作成し、プリント出力、または所定の記憶領域に記憶する。これにより、狭小な空間でも広範囲の画角の撮影画像を得ることが可能な写真撮影装置１を提供できる。【選択図】図１
2020043421.tif 000002
【特許請求の範囲】
【請求項１】
据え置き型の写真撮影装置であって、
撮影範囲が異なる複数の撮影部と、
前記撮影部により撮影された画像を連結した写真を作成する画像連結部と、
を備えることを特徴とする写真撮影装置。
【請求項２】
一の撮影部の撮影範囲の少なくとも一部が他の撮影部の撮影範囲と重なるように前記複数の撮影部が配置されることを特徴とする請求項１に記載の写真撮影装置。
【請求項３】
前記複数の撮影部は、上下に並べて配置されることを特徴とする請求項１または請求項２に記載の写真撮影装置。
【請求項４】
前記複数の撮影部は、左右に並べて配置されることを特徴とする請求項１または請求項２に記載の写真撮影装置。
【請求項５】
前記複数の撮影部は、上下左右に並べて配置されることを特徴とする請求項１または請求項２に記載の写真撮影装置。
【請求項６】
被写体の顔を検出する検出部と、
検出した被写体の顔の位置に応じて使用する撮影部を選択する選択部と、
選択した撮影部により被写体の撮影を行う制御部と、
を備えることを特徴とする請求項１から請求項５のいずれかに記載の写真撮影装置。
【請求項７】
使用する撮影部の指定を受け付ける操作部を更に備えることを特徴とする請求項１から請求項５のいずれかに記載の写真撮影装置。
【発明の詳細な説明】
【技術分野】
【０００１】
本発明は、写真撮影装置に関し、詳細には、据え置き型の写真撮影装置に関する。
【背景技術】
【０００２】
証明写真等を撮影・印刷する無人の据え置き型の写真撮影装置は、通常、被写体の顔画像の撮影を行い、必要な大きさの写真を印刷する。被写体は、印刷された写真を履歴書やパスポートの申請書等に貼付して使用する（例えば、特許文献１）。通常、この種の写真撮影装置では、カメラが筐体の上方に一つ装備されている。また、観光地やイベント会場に設置され、ユーザがセルフ操作で撮影を行い、背景画像と合成したり編集したりすることが可能な遊戯用の写真撮影装置（非特許文献１）についても同様に、カメラが一つ装備されている。
【０００３】
図９は、従来の据え置き型の写真撮影装置の例を示す図であり、図９（ａ）はボックス型またはオープン型の写真撮影装置１０００Ａの正面図、図９（ｂ）はスタンド型の写真撮影装置１０００Ｂの正面図である。図９（ａ）に示すように、写真撮影装置１０００Ａは光源１０２１、タッチパネル付きモニタ１０４０、プリント物取り出し口１０２５、及びカメラ１０３０Ａを備える。また、図９（ｂ）に示す写真撮影装置１０００Ｂは、基台１１０２及び支柱１１０３に本体部１０１０Ｂが支持され、本体部１０１０Ｂの正面に１つのカメラ１０３０と操作画面（タッチパネル付きモニタ）１０４０が設けられている。いずれの写真撮影装置１０００Ａ，１０００Ｂにおいても、カメラ１０３０は一つ設けられている。
【先行技術文献】
【特許文献】
【０００４】
【特許文献１】特開２００７−２４１７９３号公報
【非特許文献】
【０００５】
【非特許文献１】株式会社ＤＮＰフォトイメージングジャパン、写ｇｏｏ！″、［online］、［平成30年8月30日検索］、インターネット〈URL：http://www.dnpphoto.jp/products/shagoo/〉
【発明の概要】
【発明が解決しようとする課題】
【０００６】
しかしながら、このような据え置き型の写真撮影装置において、カメラが上方に配置されていると、被写体の身長が低い子供等を撮影する場合、撮影範囲の下部に顔が配置されてしまうため画像の上方に隙間ができるという問題があった。そのため、大人が抱きかかえたり、撮影時に被写体を台に載せたりする必要があった。また、カメラの角度を変えて下部まで撮影することは可能であるが、この場合は撮影画像に歪みが生じやすいという問題がある。また、狭小な空間しかない撮影ボックス内で全身を撮影するために、超広角レンズを利用することも考えられるが、この場合も撮影画像に歪みが生じやすいという問題がある。
【０００７】
本発明は、このような問題に鑑みてなされたもので、その目的とするところは、据え置き型の写真撮影装置において狭小な空間でも広範囲の画角の撮影画像を得ることが可能な写真撮影装置を提供することである。
【課題を解決するための手段】
【０００８】
前述した課題を解決するため本発明は、据え置き型の写真撮影装置であって、撮影範囲が異なる複数の撮影部と、前記撮影部により撮影された画像を連結した写真を作成する画像連結部と、を備えることを特徴とする写真撮影装置である。
【０００９】
本発明によれば、据え置き型の写真撮影装置において、撮影範囲が異なる複数の撮影部を設け、これらの撮影部により撮影された画像を連結した写真を作成することができる。これにより、狭小な空間でも広範囲の画角の撮影画像を得ることが可能な写真撮影装置を提供できる。
【００１０】
また、本発明において、一の撮影部の撮影範囲の少なくとも一部が他の撮影部の撮影範囲と重なるように前記複数の撮影部が配置されることが望ましい。これにより各撮影部の撮影画像を連結した際の連結部の画素落ちを防ぐことができ、良好な画質の写真を得ることが可能となる。
【００１１】
また、前記複数の撮影部は、上下に並べて配置されることが望ましい。また、前記複数の撮影部は、左右に並べて配置されていてもよい。また、前記複数の撮影部は、上下及び左右に並べて配置されていてもよい。撮影部を上下に並べて配置することにより、身長の異なる複数人での撮影や立った人と座った人とが混在するポーズでの撮影において、歪みのない良好な画質の写真を得ることができる。また、撮影部を左右に並べて配置することにより、横並びに複数の人がいる場合等に幅広の写真を撮影することが可能となる。また、撮影部を上下左右に並べて配置することにより、被写体の身長やポーズに応じてより多様な画角の写真を撮影することが可能となる。
【００１２】
また、本発明において、被写体の顔を検出する検出部と、検出した被写体の顔の位置に応じて使用する撮影部を選択する選択部と、選択した撮影部により被写体の撮影を行う制御部と、を備えることが望ましい。これにより、被写体の顔の位置（身長やポーズ）に応じて使用するカメラを変更して撮影を行うことが可能となり、ユーザの操作なく多様な画角の撮影を行うことが可能となる。
【００１３】
また、本発明において、使用する撮影部の指定を受け付ける操作部を更に備えることが望ましい。これにより撮りたいポーズに合わせて、ユーザが使用するカメラを手動で選択することが可能となる。
【００１４】
本発明により、据え置き型の写真撮影装置において狭小な空間でも広範囲の画角の撮影画像を得ることが可能な写真撮影装置を提供できる。
【図面の簡単な説明】
【００１５】
【図１】写真撮影装置１の構成を示す図。（ａ）正面図、（ｂ）側方透視図
【図２】写真撮影装置１の内部構成を示すブロック図
【図３】写真撮影装置１における撮影範囲を説明する図
【図４】写真撮影装置１が実行する処理の流れを示すフローチャート
【図５】撮影画像の連結について説明する図
【図６】本発明の第２の実施の形態の写真撮影装置１Ａの正面図
【図７】第２の実施の形態の写真撮影装置１Ａにおける撮影画像の連結について説明する図
【図８】本発明の第３実施の形態の写真撮影装置１Ｂの正面図
【図９】従来の写真撮影装置１０００Ａ、１０００Ｂの正面図
【発明を実施するための形態】
【００１６】
以下、図面に基づいて本発明の好適な実施形態について詳細に説明する。なお、本発明に係る写真撮影装置は、観光地、遊園地、公園、イベント会場、遊技場、または街頭等に設置される遊技機としての据え置き型の写真撮影装置に好適なものである。
【００１７】
＜第１の実施の形態＞
まず、本発明の第１の実施の形態の写真撮影装置１について説明する。
図１は、写真撮影装置１の全体構成を示す図であり、（ａ）は正面図、（ｂ）は側方透視図である。図１に示すように、写真撮影装置１は被写体（ユーザ）が筐体１００の内部に入って撮影するボックス型、または背面のないオープン型に形成されている。図１（ｂ）はオープン型の例を示している。
【００１８】
写真撮影装置１は、正面パネル１０１の上方及び下方に２つのカメラ３０Ａ，３０Ｂが設けられる。また、正面パネル１０１には、照明用の光源２１、モニタ４０、プリント物取り出し口２５が設けられる。
【００１９】
モニタ４０は、操作手順や案内（ガイダンス）等、写真の撮影に関する画面や撮影した写真等を表示するとともに被写体（ユーザ）が操作指示を入力するためのタッチパネル付きモニタ（表示部）である。プリント物取り出し口２５は、プリント物（写真）の取り出し口である。
【００２０】
また、写真撮影装置１には撮影料金を精算するためのコインメック６０、ガイダンス等の音声を出力する音声出力部５０等が設けられる。写真撮影装置１の筐体１００の内部には本体部１０、プリンタ部８０、及び通信制御部９０等が設けられる。
【００２１】
図２は、写真撮影装置１の内部構成を示すブロック図である。
写真撮影装置１は、本体部１０、ストロボユニット２０、カメラ３０Ａ，３０Ｂ、モニタ４０、被写体センサ４５、音声出力部５０、コインメック６０、操作部７０、プリンタ部８０、及び通信制御部９０等から構成される。
【００２２】
本体部１０は、制御部１１、Ｉ／Ｏ（Input/Output）コントロール１２、Ｉ／Ｆ（インタフェース）１３、記憶部１４、ＲＡＭ（Random Access Memory）１５、ＤＶＤ（Digital Versatile Disk）記憶部１６を有する。
本体部１０は、Ｉ／Ｏコントロール１２を介して、ストロボユニット２０、コインメック６０、操作部７０と接続している。また、本体部１０は、Ｉ／Ｆ１３を介してプリンタ部８０、通信制御部９０と接続している。
【００２３】
制御部１１は、写真撮影装置１の各部を集中制御する。制御部１１は、記憶部１４に記憶された写真撮影装置１の各種処理プログラムに従って制御動作を行う。
【００２４】
Ｉ／Ｏコントロール１２は、ストロボユニット２０、コインメック６０、操作部７０等と各種情報を入出力するためのインタフェースである。
Ｉ／Ｆ１３は、プリンタ部８０、通信制御部８２との間で各種情報を入出力するためのインタフェースである。
【００２５】
記憶部１４は、写真撮影装置１で実行可能な各種処理プログラムや、プログラムの実行に必要なデータ等を記憶する。
ＲＡＭ１５は、制御部１１により実行される処理プログラムの一時的な格納領域、処理結果の一時的格納領域として機能する。
【００２６】
ＤＶＤ記憶部１６は、記憶部１４に記憶されるデータ等を更新するためのものである。写真撮影装置１の管理者は、ＤＶＤ記憶部１６を介して、記憶部１４に記憶されるデータ等を更新する。
【００２７】
ストロボユニット２０は、被写体の正面上方、正面下方に位置する照明用の光源（ストロボ）２１と接続し、制御部１１から入力される制御信号に従って、光源（ストロボ）２１の発光タイミングや発光量を制御する。
【００２８】
カメラ３０Ａ，３０Ｂは、光学レンズと、ＣＣＤ（Charge Coupled Device）やＣＭＯＳ（complementary Metal-Oxide Semiconductor）等の撮影素子と、Ａ／Ｄ（Analog/Digital）変換部等から構成されるデジタルカメラである。２つのカメラ３０Ａ，３０Ｂのうち、一方のカメラ３０Ａは正面中央部上方に設けられ、他方のカメラ３０Ｂは正面中央部下方に設けられる。２つのカメラ３０Ａ，３０Ｂは、高さ位置のみが異なり、横方向位置は一致するように配置されている。
【００２９】
カメラ３０Ａ，３０Ｂは、制御部１１から入力される制御信号に従って撮影を行う。カメラ３０Ａ，３０Ｂは、光学レンズを介して入力された被写体像を撮影素子により光電変換し、アナログ画像信号を生成する。そして、Ａ／Ｄ変換部によりアナログ画像信号をデジタル画像データに変換し、制御部１１に出力する。制御部１１は、カメラ３０Ａ，３０Ｂにより入力されたデジタル画像データをモニタ４０に出力する。
【００３０】
なお、写真撮影装置１は、カメラ３０Ａ，３０Ｂのうちいずれか一方を使用した撮影、及び両方を同時に使用した撮影を行うことができるものとする。いずれのカメラ３０Ａ，３０Ｂを使用するかは、例えば、被写体（ユーザ）の身長やポーズ等により決定してもよいし、被写体（ユーザ）が指定しておよい。撮影処理についての詳細は後述する。
【００３１】
図３は、カメラ３０Ａ，３０Ｂの撮影範囲を示す図である。図３に示すように、撮影範囲Ｒ１は上方に設けられたカメラ３０Ａによる撮影範囲であり、撮影範囲Ｒ２は下方に設けられたカメラ３０Ｂによる撮影範囲である。撮影範囲Ｒ１と撮影範囲Ｒ２とをつなげた範囲が写真撮影装置１の最大の撮影範囲となる。なお、上方に設けられたカメラ３０Ａの撮影範囲Ｒ１と、下方に設けられたカメラ３０Ｂの撮影範囲Ｒ２とは、つなぎ合わせ部分が重なるように各カメラ３０Ａ，３０Ｂを設置することが望ましい。これは、カメラ３０Ａによる撮影画像とカメラ３０Ｂによる撮影画像とを連結する際に、連結部の画素落ちを防ぐためである。
【００３２】
表示部（モニタ）４０は、液晶ディスプレイ等のタッチパネル付ディスプレイで、制御部１１から入力される表示信号に従って、表示処理を行う。
被写体センサ４５は、被写体（ユーザ）を検出するセンサである。被写体センサ４５は、被写体（ユーザ）が写真撮影装置１の正面パネル１０１に近づくと、検出信号を制御部１１に出力する。被写体センサ４５としては、発光器と受光器からなる光学式センサ等を用いる。
【００３３】
音声出力部５０は、制御部１１から入力される制御信号に従って所定の音声データを記憶部１４から取得し、スピーカから出力する。音声出力部５０は、例えば記憶部１４に記憶されている案内情報に対応する音声データ等を音声出力する。
【００３４】
コインメック６０は、硬貨や紙幣の入金口や、つり銭の返金口等を供えた金銭登録機である。コインメック６０は、入金口から入金された金額に関する情報を制御部１１に出力し、制御部１１から入力される制御信号に従って、つり銭額に応じた硬貨、紙幣を返金口に排出する。
【００３５】
操作部７０は、正面パネル１０１や筐体側面等に備えられた操作ボタン、または表示部（モニタ）４０と一体的に構成されたタッチパネル等から構成され、被写体（ユーザ）による操作に従って制御信号を制御部１１に送る。
プリンタ部８０は、制御部１１から入力される制御信号に従って、撮影された写真の画像データを所定の用紙にプリントする。プリンタ部８０は高解像度カラープリンタであり、昇華型、溶融型等、プリンタの方式は問わない。
【００３６】
通信制御部９０は、写真撮影装置１のネットワーク４を介した通信を制御する。写真撮影装置１は、写真の画像データを、ネットワーク４を介してサーバ（不図示）に記憶し、撮影日以降、被写体（ユーザ）が撮影データを再プリントしたり、被写体（ユーザ）のＰＣやスマートフォン等にダウンロードしたりすること可能とする。
【００３７】
次に、図４を参照して写真撮影装置１が実行する撮影処理の流れを説明する。
【００３８】
被写体センサ４５により写真撮影装置１の正面パネル１０１の前にユーザ（被写体）がいることを検知すると（ステップＳ１０１）、写真撮影装置１の制御部１１は、被写体（ユーザ）の顔を検出する（ステップＳ１０２）。顔検出は、公知の顔検出技術により行われる。そして、制御部１１は検出した顔の位置から、使用するカメラを選択する（ステップＳ１０３）。例えば、顔位置が上方に配置されたカメラ３０Ａの撮影範囲Ｒ１（高い位置）にある場合には上方のカメラ３０Ａを選択する。顔位置が下方に配置されたカメラ３０Ｂの撮影範囲Ｒ２（低い位置）にある場合には下方のカメラ３０Ｂを選択する。また、顔位置が上方のカメラ３０Ａの撮影範囲Ｒ１の下部または下方のカメラ３０Ｂの撮影範囲Ｒ２の上部にかかるような場合は上方のカメラ３０Ａと下方のカメラ３０Ｂの両方を選択する。また、複数の人がいるグループ撮影の場合は、複数の顔が検出される。撮影範囲Ｒ１，Ｒ２の双方に顔が検出されている場合は、上方のカメラ３０Ａと下方のカメラ３０Ｂの両方を選択する。
【００３９】
次に制御部１１は課金処理を実行する（ステップＳ１０４）。課金処理では、コインメック６０に対する入金を受け付け、入金口から入金された金額に関する情報を取得し、つり銭を算出する。おつりがある場合は、制御部１１はコインメック６０に対し、つり銭額と返金指示を行い、つり銭額に応じた硬貨、紙幣を返金口に排出する。なお、課金処理において、「お金を投入してください」といったメッセージを表示部（モニタ）４０に表示したり、音声出力部５０から音声出力したりするようにしてもよい。
【００４０】
課金処理により所定の課金額を得ると、制御部１１は撮影処理を開始する（ステップＳ１０５）。被写体（ユーザ）により表示部（モニタ）４０の「撮影」ボタンがタッチされると、制御部１１は、ステップＳ１０３で選択したカメラ３０Ａ，３０Ｂ，または３０Ａ及び３０Ｂを使用して写真の撮影を行う（ステップＳ１０５）。撮影は、１回のみの撮影としてもよいし、既定回数、例えば３回連続して撮影を行うようにしてもよい。また、複数のカメラ３０Ａ及び３０Ｂが選択されている場合は、選択されている全てのカメラで同時に撮影するものとする。撮影時、制御部１１は、光源（ストロボ）２１の発光量等を制御したり、レフ板（不図示）を所定の位置に移動して写真映りを調整したりする。
【００４１】
また、複数のカメラ３０Ａ及び３０Ｂが選択されている場合は、制御部１１は、各カメラ３０Ａ及び３０Ｂにより撮影された画像Ｇ１，Ｇ２を連結する処理を実行する（ステップＳ１０６）。この画像連結処理において、制御部１１は、図５に示すように、上方のカメラ３０Ａにより撮影された画像Ｇ１と下方のカメラ３０Ｂにより撮影された画像Ｇ２とを連結する。各カメラ３０Ａ，３０Ｂにより撮影された画像Ｇ１，Ｇ２はそれぞれ既定のサイズ（縦Ｈ×横Ｗ）であるが、各カメラ３０Ａ，３０Ｂの撮影範囲Ｒ１，Ｒ２の重なり部分に相当する画像範囲ｄ１が重なるように、画像Ｇ１とＧ２とを連結した画像Ｇ５を生成する。
【００４２】
なお、写真の撮影中、制御部１１は、カメラ３０により撮像中のカメラ画像と撮影された写真のデータ（画像Ｇ１，Ｇ２，またはＧ５）とを並べて表示するようにしてもよい。
【００４３】
所定枚数の写真データ（画像Ｇ１，Ｇ２，またはＧ５）が生成されると、制御部１１は、プリントする写真データを選択するためのプレビュー画面を表示し、ユーザ（被写体）による写真データの選択を受け付ける。ユーザ（被写体）は、プレビュー画面に表示されている複数の写真データの中からプリントする写真データを選択し、ＯＫボタンを選択する。制御部１１は、選択された写真データをプリンタ部８０に送信する。プリンタ部８０は、所定の用紙に写真データをプリントし、プリント物として排出する（ステップＳ１０７）。
【００４４】
ステップＳ１０７において、制御部１１は選択された写真データに識別情報を付してネットワーク４を介してサーバ（不図示）に送信（アップロード）するようにしてもよい。これによって、後日、写真撮影装置１による再印刷またはユーザのＰＣやスマートフォン等にダウンロードするための写真データ等をサーバに記憶させることができる。
【００４５】
以上説明したように、本発明の第１の実施の形態の写真撮影装置１は、高さが異なる位置に撮影範囲が異なるように複数のカメラ３０Ａ，３０Ｂを配置し、複数のカメラ３０Ａ，３０Ｂにより撮影された画像を連結した写真データを作成し、印刷出力または所定の記憶領域（サーバ等）へ保存する。これにより、狭小なスペースでも広範囲の画角の撮影画像を得ることができる。大人と子供のように身長が異なる被写体や、立った人と座った人とが混在するグループの撮影を行う場合でも、各被写体の正面に近い位置から撮影できるため、広角レンズを使用する場合と比較して歪みのない写真を得ることが可能となる。
【００４６】
なお、上述の撮影処理では、被写体の顔位置に応じて使用するカメラを選択するものとしたが、これに限定されず、使用するカメラをユーザが表示部（モニタ）４０や操作部７０から指定するようにしてもよい。これにより、ユーザが所望の画角を指定することが可能となる。顔として認識されないもの以外のものを対象にした撮影を行ったり、様々なポーズに対応したりすることも可能となる。
【００４７】
また、カメラの台数は２台に限定されず、３台以上のカメラを縦方向に並べて配置するようにしてもよい。また、横方向に複数のカメラを並べて配置してもよい。また、縦方向及び横方向に複数のカメラをそれぞれ配置してもよい。
【００４８】
＜第２の実施の形態＞
次に、本発明の第２の実施の形態として、上下及び左右に４つのカメラを並べて配置した写真撮影装置１Ａについて説明する。
【００４９】
図６は、本発明の第２の実施の形態の写真撮影装置１Ａの正面図である。図６に示すように、写真撮影装置１Ａの正面パネル１０１の上方左位置及び下方左位置には、それぞれカメラ３０Ａ，３０Ｂが設置され、正面パネル１０１の上方右位置及び下方右位置には、それぞれカメラ３０Ｃ，３０Ｄが設置される。左右のカメラ３０Ａとカメラ３０Ｃ，カメラ３０Ｂとカメラ３０Ｄの高さ位置はそれぞれ同じ高さ位置とする。また、上下のカメラ３０Ａとカメラ３０Ｂ，カメラ３０Ｃとカメラ３０Ｄの横方向位置はそれぞれ同じ位置とする。
【００５０】
正面パネル１０１には、照明用の光源２１、２１が設置される。また、正面パネル１０１には、操作手順や案内（ガイダンス）等、写真の撮影に関する画面や撮影した写真等を表示するとともに被写体（ユーザ）５が操作指示を入力するための表示部（タッチパネル付きモニタ）４０が設けられる。
【００５１】
また、写真撮影装置１Ａの側面にはプリント物を取り出すためのプリント物取り出し口２５や撮影料金を精算するためのコインメック６０、ガイダンス等の音声を出力する音声出力部５０等が設置される。写真撮影装置１Ａの筐体の内部には本体部１０、プリンタ部８０、及び通信制御部９０等が設けられる。
【００５２】
写真撮影装置１Ａの内部構成は、図２と略同様である。ただし、カメラ３０Ａ，３０Ｂ、３０Ｃ，３０Ｄの４つが制御部１１と接続される。
【００５３】
写真撮影装置１Ａのカメラ３０Ａ，３０Ｂ，３０Ｃ，３０Ｄの各撮影範囲は、第１の実施の形態と同様に互いにつなぎ合わせ部分が重なるように各カメラ３０Ａ，３０Ｂ，３０Ｃ，３０Ｄを配置することが望ましい。
【００５４】
図７は、４つのカメラ３０Ａ，３０Ｂ，３０Ｃ，３０Ｄを全て使用して撮影を行った場合の連結画像Ｇ５を示す図である。制御部１１は、図７に示すように、上方左位置のカメラ３０Ａにより撮影された画像Ｇ１と下方左位置のカメラ３０Ｂにより撮影された画像Ｇ２と、上方右位置のカメラ３０Ｃにより撮影された画像Ｇ３と下方右位置のカメラ３０Ｄにより撮影された画像Ｇ４とを連結して連結画像Ｇ５を生成することができる。なお、各カメラ３０Ａ，３０Ｂ，３０Ｃ，３０Ｄにより撮影された画像Ｇ１，Ｇ２，Ｇ３，Ｇ４はそれぞれ既定のサイズ（縦Ｈ×横Ｗ）であるが、各カメラ３０Ａ，３０Ｂ，３０Ｃ，３０Ｄの撮影範囲の重なり部分に相当する画像範囲ｄ１、ｄ２が重なるように、画像Ｇ１，Ｇ２，Ｇ３，Ｇ４を連結した画像Ｇ５を生成する。
【００５５】
また、撮影処理の流れも第１の実施の形態と同様であり、どのカメラを使用して撮影するかは、第１の実施の形態と同様に、被写体の顔位置に応じて選択される、またはユーザにより指定可能とする。
【００５６】
例えば、同じ程度の身長の複数の被写体が横に並んでいる場合には、上方の左右のカメラ３０Ａ，３０Ｃ（または下方の左右のカメラ３０Ｂ，３０Ｄ）を選択して撮影を行うことが望ましい。この場合は、上方左位置のカメラ３０Ａにより撮影された画像Ｇ１と上方右位置のカメラ３０Ｃにより撮影された画像Ｇ３（下方左位置のカメラ３０Ｂにより撮影された画像Ｇ２と下方右位置のカメラ３０Ｄにより撮影された画像Ｇ４）とを連結した横長の連結画像を生成する。
【００５７】
また例えば、上方右位置と下方左位置に被写体の顔が検出されたような場合は、撮影範囲を広くとり、すべてのカメラ３０Ａ，３０Ｂ，３０Ｃ，３０Ｄを選択して撮影を行うようにする。この場合は、制御部１１は、図７に示すように、カメラ３０Ａ，３０Ｂ，３０Ｃ，３０Ｄにより撮影された各画像Ｇ１，Ｇ２，Ｇ３，Ｇ４を連結した連結画像Ｇ５を生成する。
【００５８】
このように、第２の実施の形態の写真撮影装置１Ａによれば、被写体の身長やポーズに応じてより多様な画角の写真を撮影することが可能となる。
【００５９】
＜第３の実施の形態＞
次に、本発明の第３の実施の形態の写真撮影装置１Ｂについて説明する。
図８は、スタンド型の写真撮影装置１Ｂの正面図である。この種の形態の写真撮影装置１Ｂにおいても、第１の実施の形態と同様に、複数のカメラを設けるようにしてもよい。
【００６０】
図８に示すように、写真撮影装置１Ｂは基台１０２及び支柱１０３に本体部１０Ｂが支持され、本体部１０Ｂの正面にカメラ３０Ａが装備され、本体部１０Ｂの底面にカメラ３０Ｂが装備されている。正面のカメラ３０Ａと底面のカメラ３０Ｂはいずれもレンズが正面に配置される。
【００６１】
また、写真撮影装置１Ｂには、図２に示す写真撮影装置１と同様に、表示部（タッチパネル付きモニタ）４０や、音声出力部５０、光源２１、プリンタ部８０、プリント物取り出し口２５等が設けられるものとする。また、本体部１０Ｂの内部には、制御部１１、Ｉ／Ｏコントロール１２、Ｉ／Ｆ１３、記憶部１４、ＲＡＭ１５、ＤＶＤ記憶部１６等が設けられる。
【００６２】
写真撮影装置１Ｂの撮影範囲は、第１の実施の形態（図３）と同様に、正面（上方）に設けられたカメラ３０Ａによる撮影範囲と、底面（下方）に設けられたカメラ３０Ｂによる撮影範囲とをつなげた範囲が最大の撮影範囲となる。
【００６３】
写真撮影装置１Ｂのカメラ３０Ａ、３０Ｂの各撮影範囲は、第１の実施の形態と同様につなぎ合わせ部分が重なるように各カメラ３０Ａ、３０Ｂを配置することが望ましい。
【００６４】
また、写真撮影装置１Ｂの制御部１１は、正面（上方）のカメラ３０Ａにより撮影された画像Ｇ１と底面（下方）のカメラ３０Ｂにより撮影された画像Ｇ２とを連結して連結画像Ｇ５を生成する（図５参照）。なお、各カメラ３０Ａ，３０Ｂにより撮影された画像Ｇ１，Ｇ２はそれぞれ既定のサイズ（縦Ｈ×横Ｗ）であるが、各カメラ３０Ａ，３０Ｂの撮影範囲の重なり部分に相当する画像範囲ｄ１が重なるように、画像Ｇ１、Ｇ２を連結した画像Ｇ５が生成される。
【００６５】
また、撮影処理の流れも第１の実施の形態と同様であり、どのカメラを使用して撮影するかは、第１の実施の形態と同様に、被写体の顔位置に応じて選択される、または被写体により指定されるようにすることが望ましい。
【００６６】
なお、第１〜第３の実施の形態において、ボックス型、オープン型、スタンド型等の写真撮影装置について説明したが、筐体の形状は図１、図６、図８の例に限定されず任意の形状の写真撮影装置に本発明を適用可能である。
【００６７】
以上、添付図面を参照して、本発明に係る写真撮影装置等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６８】
１，１Ａ，１Ｂ………写真撮影装置
４………ネットワーク
１０，１０Ｂ………本体部
１１………制御部
１２………Ｉ／Ｏコントロール
１３………Ｉ／Ｆ
１４………記憶部
１５………ＲＡＭ
１６………ＤＶＤ記憶部
２０………ストロボユニット
２１………光源（ストロボ）
２５………プリント物取り出し口
３０Ａ，３０Ｂ，３０Ｃ，３０Ｄ………カメラ
４０………表示部（タッチパネル付きモニタ）
４５………被写体センサ
５０………音声出力部
６０………コインメック
７０………操作部
８０………プリンタ部
９０………通信制御部
１００………筐体
１０１………正面パネル
【図１】
2020043421.tif 000003
【図２】
2020043421.tif 000004
【図３】
2020043421.tif 000005
【図４】
2020043421.tif 000006
【図５】
2020043421.tif 000007
【図６】
2020043421.tif 000008
【図７】
2020043421.tif 000009
【図８】
2020043421.tif 000010
【図９】
2020043421.tif 000011